(57)【要約】【課題】歩行困難者を座席に着席させた状態で、移動や昇降ができ、簡単な構造の移送装置の提供。【解決手段】簡単な構造の移送装置Ａは、車輪１１、１２を配設した水平枠体１と、底盤の左右端から立設する柱状材を有する垂直枠体２と、底盤に下端が固定される下側円筒体と、下側円筒体に内嵌される上側円筒体と、上側円筒体および下側円筒体内に配されるベローズと、摺動体を左右側板に配設した函体６と、函体６に連結される椅子部材７と、途中に減圧弁および三方バルブを介設し、高圧エアタンク８１とエア給排口との間をエアホースで接続したエア給排気路とを備えてなり、歩行困難者を座席に着席させた状態で、移動や昇降ができる。【選択図】図１
2013135803.tif 000002
【特許請求の範囲】
【請求項１】
前端および後端に車輪を配設した左右柱材の後部を横架材で連結し、動かすための取手を取り付けた略コ字状を呈する水平枠体と、
前記横架材の上面に固定される、エア給排口を有する底盤の左右端から、内壁に凹溝を形成した柱状材が立設する垂直枠体と、
前記エア給排口が連通する様に前記底盤に固定される下側円筒体と、
該下側円筒体に内嵌され、上端が天板により閉塞されている上側円筒体と、
該上側円筒体および前記下側円筒体内に装入され、上端を前記天板に固定し、下端を前記エア給排口に接続したゴム製のベローズと、
上板、左右側板、および前板からなり、前記上板を前記天板に固定し、前記垂直枠体の前記凹溝内を摺動可能な摺動体を前記左右側板の上端と下端に配設した函体と、
上盤、該上盤の前端から垂下する背盤、該背盤の下端から前方向に延びる座盤、および前記背盤に配設される手摺を有し、前記函体に固定される椅子部材と、
高圧エアタンクと前記エア給排口との間をエアホースで接続し、途中に減圧弁および三方バルブを介設したエア給排気路とを備えてなる移送装置。
【請求項２】
前記椅子部材を上昇させる場合には、前記高圧エアタンク内の高圧エアが前記減圧弁を通過して減圧されて前記エア給排口から前記ベローズ内へ供給される様に前記三方バルブを切替え、
前記椅子部材を下降させる場合には、前記ベローズ内のエアが前記エア給排口から前記エアホースを介して大気へ開放される様に前記三方バルブを切替えることを特徴とする請求項１に記載の移送装置。
【発明の詳細な説明】
【技術分野】
【０００１】
本発明は、障害者、要介護者、高齢者等の歩行困難者を座席に着席させた状態で、移動や昇降が可能な移送装置に関する。
【背景技術】
【０００２】
特許文献１には、椅子付きテレスコープ型伸縮装置が記載されている。
特許文献２には、多段伸縮エヤーシリンダーが記載されている。
特許文献３には、水道水を使ったテレスコープ型伸縮装置が記載されている。
【先行技術文献】
【特許文献】
【０００３】
【特許文献１】特開２００６−３２６２２７号公報
【特許文献２】特開２０００−１７０７１２号公報
【特許文献３】特開２００６−１５８６８０号公報
【発明の概要】
【発明が解決しようとする課題】
【０００４】
上記特許文献１は、椅子部材が最下へ変位した場合でも、縦桁部が聳え立っており、入浴困難者に威圧感を与える。
上記特許文献２の多段伸縮エヤーシリンダーにおいて、筒の先端に棹部材を片持状態に取り付け、身体障害者を椅子に乗せて吊り上げる構造にすると、筒が曲げ力を受けて変形してしまう。
上記特許文献３は、上部の取付部に棹部材を取り付けているので、大がかりである。
【０００５】
本発明の目的は、歩行困難者を座席に着席させた状態で、移動や昇降でき、簡単な構造の移送装置の提供にある。
【課題を解決するための手段】
【０００６】
（請求項１について）
略コ字状を呈する水平枠体は、前端および後端に車輪を配設した左右柱材の後部を横架材で連結し、動かすための取手を取り付けている。
垂直枠体は、横架材の上面に固定される、エア給排口を有する底盤の左右端から、内壁に凹溝を形成した柱状材が立設している。
【０００７】
下側円筒体は、エア給排口が連通する様に底盤に固定されている。
上側円筒体は、下側円筒体に内嵌され、上端が天板により閉塞されている。
ゴム製のベローズは、上側円筒体および下側円筒体内に装入され、上端を天板に固定し、下端をエア給排口に接続している。
【０００８】
上板、左右側板、および前板からなる函体は、上板を天板に固定し、垂直枠体の凹溝内を摺動可能な摺動体を左右側板の上端と下端に配設している。
椅子部材は、上盤、この上盤の前端から垂下する背盤、この背盤の下端から前方向に延びる座盤、および背盤に配設される手摺を有し、函体に固定されている。
【０００９】
エア給排気路は、高圧エアタンクとエア給排口との間をエアホースで接続し、途中に減圧弁および三方バルブを介設している。
【００１０】
椅子部材を上昇させる場合には、三方バルブを操作し、高圧エアタンク内の高圧エアを減圧弁を通過させて減圧させた後、エアをエア給排口からベローズ内へ供給する。
【００１１】
ゴム製のベローズが上側円筒体および下側円筒体内で膨らみ、上側円筒体が上昇していく。
なお、椅子部材が函体に固定されているので、上側円筒体の上昇に伴って椅子部材も上昇していく。
ベローズ内への高圧エアの給排出により上側円筒体を昇降させる構成であるので、水漏れの虞がなく、軽量であり、構造が簡単である。また、移送装置を移動させることも可能である。
【００１２】
水平枠体の横架材の上面に固定した底盤の左右端から、内壁に凹溝を形成した垂直枠体の柱状材が立設し、函体の上板を天板に固定し、垂直枠体の凹溝内を摺動可能な摺動体を、函体の左右側板の上端と下端に配設しているので、函体に固定した椅子部材を安定して上昇・下降させることができる。
【００１３】
椅子部材を上昇下降させたり、取手を持って移送装置を移動させる時は、布団やベットに横たわった歩行困難者を別場所の異なる高さの処置台へ乗せる場合や、布団やベットに横たわった歩行困難者を別場所のシャワー室で椅子に座らせてシャワーを浴びさせる場合や、高さがあるベットから畳面へ下ろしたり、ベットから屋外へ連れ出す場合等である。  
【００１４】
（請求項２について）
椅子部材を上昇させる場合には、高圧エアタンク内の高圧エアが減圧弁を通過して減圧されてエア給排口からベローズ内へ供給される様に三方バルブを切替える。
また、椅子部材を下降させる場合には、ベローズ内のエアがエア給排口からエアホースを介して大気へ開放される様に三方バルブを切替える。
【図面の簡単な説明】
【００１５】
【図１】本発明の実施例１に係る移送装置（上側円筒体を上昇させた状態）の側面図である。
【図２】その移送装置（上側円筒体を下降させた状態）の側面図である。
【図３】その移送装置の上面図である。
【図４】その移送装置に用いる上側・下側円筒体（上側円筒体を上昇させた状態）の断面図である。
【図５】図４のｙ−ｙ線断面図である。
【図６】その移送装置に用いる上側・下側円筒体（上側円筒体を上昇させた状態）の説明図である。
【図７】その移送装置に用いるエア給排気路の説明図である。
【実施例１】
【００１６】
本発明の実施例１（請求項１、２に対応）の移送装置Ａを図１〜図７に基づいて説明する。
図に示す如く、移送装置Ａは、水平枠体１と、垂直枠体２と、下側円筒体３と、上側円筒体４と、ベローズ５と、函体６と、椅子部材７と、エア給排気路８とを備えてなる。
断面コ字状を呈する水平枠体１（金属製）は、前部および後部にゴム製の車輪１１、１２を配設した左柱材１３および右柱材１４の後部を横架材１５で連結し、手で持って動かすための取手１６を取り付けている。
【００１７】
垂直枠体２（金属製）は、横架材１５の上面に固定される底盤２２と、底盤２２の左右端から立設する柱状材２３、２３とからなる。
底盤２２には、後述するエアホース８２とベローズ５とを連結させるためのエア給排口２４が配設されている。
柱状材２３の内壁には凹溝２５が形成されている。
【００１８】
下側円筒体３（金属製）は、底盤２２の上部に下端が固定され、上方へ延設している。  下側円筒体３より径小の上側円筒体４（金属製）は、下側円筒体３に内嵌され、上端が天板４１等により閉塞されている（図４参照）。
【００１９】
下部５１と上部５２を連結体５３により連結したベローズ５（ゴム製）は、下部５１が下側円筒体３内に装入され、上部５２が上側円筒体４内に装入され、上端が連結部材５４を介して天板４１に固定され、下端がエア給排口２４に接続されている（図４参照）。
【００２０】
上板６１、左側板６２、右側板６３、および前板６４からなる函体６は、上板６１を天板４１に固定し、垂直枠体２の凹溝２５内で函体６自体を摺動可能にする摺動体６５を左側板６２および右側板６３の上端と下端に配設している（図４参照）。
【００２１】
椅子部材７は、上盤７１、上盤７１の前端から垂下する背盤７２、背盤７２の下端から前方向に延びる座盤７３、および背盤７２に配設される手摺７４を有し、上盤７１が函体６の上板６１に固定されている（図１〜図３参照）。
【００２２】
エア給排気路８は、水平枠体１の後部に設置した高圧エアタンク８１と、エア給排口２４との間をエアホース８２で接続し、途中に減圧弁８３および三方バルブ８４等を介設してなる（図７参照）。
【００２３】
例えば、布団に横たわっている歩行困難者を別場所のシャワー室で椅子に座らせてシャワーを浴びさせる場合、移送装置Ａを以下の様にして使用する。
布団に横たわっている歩行困難者を椅子部材７の座盤７３に載せる。
【００２４】
三方バルブ８４を矢印ｉ方向（図７参照）に切替え、高圧エアタンク８１内の高圧エアが減圧弁８３を通過して減圧されたエアホース８２内のエアをエア給排口２４からベローズ５内へ供給する。
【００２５】
エア給排口２４からベローズ５内へエアを供給していくと、ヒダどうしが離れてベローズ５の軸方向長が長くなっていくので上側円筒体４が上昇していく。
この際、上盤７１が函体６の上板６１に固定されているので、椅子部材７も上昇していく。  
【００２６】
垂直枠体２の凹溝２５内で函体６自体を摺動可能にする摺動体６５を左側板６２および右側板６３の上端と下端に配設しているため、函体６に固定した椅子部材７を安定して上昇させることができる。なお、歩行困難者が椅子部材７に楽に座れる高さになるまで椅子部材７を昇降する。
【００２７】
ベローズ５内への高圧エアの給排出により上側円筒体４を昇降させる構成であるので、水漏れの虞がなく、軽量であり、構造が簡単である。また、歩行困難者を椅子部材７に座らせた状態での移送装置Ａの移動が容易である。
【００２８】
水に濡れても問題がない構造であるので、歩行困難者を移送装置Ａの椅子部材７に座らせた状態でシャワーを浴びさせることが可能である。
【００２９】
また、歩行困難者を布団に下ろす場合には、三方バルブ８４を矢印ｊ方向（図７参照）に切替え、ベローズ５内のエアを、エア給排口２４およびエアホース８２を介して大気中へ放出する。
ベローズ５内の空気が抜けていくと、ヒダどうしが接近してベローズ５の軸方向長が短くなっていくので上側円筒体４が下降していく。
この際、上盤７１が函体６の上板６１に固定されているので、椅子部材７も下降していく。
【産業上の利用可能性】
【００３０】
本発明の移送装置Ａを用いれば、歩行困難者を座席に着席させた状態で、移動や昇降を行うことができる。
【符号の説明】
【００３１】
Ａ  移送装置
１  水平枠体
２  垂直枠体
３  下側円筒体
４  上側円筒体
５  ベローズ
６  函体
７  椅子部材
８  エア給排気路
１１、１２  車輪
１３  左柱材
１４  右柱材
１５  横架材
１６  取手
２２  底盤
２３  柱状材
２４  エア給排口
２５  凹溝
４１  天板
６１  上板
６２  左側板
６３  右側板
６４  前板
６５  摺動体
７１  上盤
７２  背盤
７３  座盤
７４  手摺
８１  高圧エアタンク
８２  エアホース
８３  減圧弁
８４  三方バルブ
【図１】
2013135803.tif 000003
【図２】
2013135803.tif 000004
【図３】
2013135803.tif 000005
【図４】
2013135803.tif 000006
【図５】
2013135803.tif 000007
【図６】
2013135803.tif 000008
【図７】
2013135803.tif 000009